(57)【要約】【課題】対象物の状態に応じたＲＦＩＤタグの読み取り精度の調整が容易なＲＦＩＤゲートシステムを提供する。【解決手段】ゲート１０は、両端が開口し内部が空洞の筒形状の壁を有する。アンテナ３０は、筒形状の壁の内面に設置され、電波を放射して、物品がゲート１０の内部を通過した際に、物品が備えるＲＦＩＤタグと交信する。位置調整部４１は、外部から操作される被操作部４２ａを有し、被操作部４２ａの操作状態に応じてアンテナ３０の位置を、ゲート１０の内部を物品が通過する方向に対して交差する方向である調整方向に沿って変位させる。【選択図】図２
2019133269.tif 000002
【特許請求の範囲】
【請求項１】
ＲＦＩＤゲートシステムであって、
両端が開口し内部が空洞の筒形状の壁を有する金属製のゲートと、
前記筒形状の壁の内面に設置され、電波を放射して、物品が前記ゲートの内部を通過した際に、前記物品が備えるＲＦＩＤタグと交信する１つ以上のアンテナと、
外部から操作される被操作部を有し、該被操作部の操作状態に応じて前記アンテナの位置を、前記ゲートの内部を前記物品が通過する方向に対して交差する方向である調整方向に沿って変位させるように構成された位置調整部と、
を備えた、ＲＦＩＤゲートシステム。
【請求項２】
請求項１に記載のＲＦＩＤゲートシステムであって、
前記位置調整部により変位する前記アンテナと一体に移動し、他の部位とは視覚的に識別可能な形態で示されたマーカーを有する識別部と、
前記ゲートに形成され、前記マーカーの位置を前記ゲートの外面側から視認可能に露出させるように構成された表示部と、
を更に備えた、ＲＦＩＤゲートシステム。
【請求項３】
請求項２に記載のＲＦＩＤゲートシステムであって、
前記表示部は、一定間隔である孔間隔毎に前記調整方向に沿って形成された複数の表示孔を有し、
前記マーカーは、前記調整方向の幅が前記孔間隔より狭く設定された、
ＲＦＩＤゲートシステム。
【請求項４】
請求項３に記載のＲＦＩＤゲートシステムであって、
前記識別部は、前記調整方向の幅が前記孔間隔の２倍以上に設定され、かつ、前記調整方向の中心位置に前記マーカーが位置し、前記マーカーとは異なる形態で示された補助マーカーを更に有する、
ＲＦＩＤゲートシステム。
【請求項５】
請求項１から請求項４までのいずれか１項に記載のＲＦＩＤゲートシステムであって、
前記ゲートは、外面に、前記被操作部を、該被操作部に対する操作が可能な状態で露出させる操作孔を有する、
ＲＦＩＤゲートシステム。
【請求項６】
請求項５に記載のＲＦＩＤゲートシステムであって、
前記操作孔を着脱自在に塞ぐ導電性の蓋体を更に備える、
ＲＦＩＤゲートシステム。
【請求項７】
請求項１から請求項６までのいずれか１項に記載のＲＦＩＤゲートシステムであって、
前記位置調整部は、
前記調整方向に沿って配置され、回転操作が加えられる前記被操作部としてのボルトと、
前記ボルトを挿通しかつ螺合するねじ孔を有したスライドブロックと、
前記ボルトの回転運動に連動した前記スライドブロックの回転を阻止することによって、前記スライドブロックを前記調整方向に沿って直線運動させるガイド部と、
を備える、
ＲＦＩＤゲートシステム。
【請求項８】
請求項１から請求項７までのいずれか１項に記載のＲＦＩＤゲートシステムであって、
前記ゲートは、四角筒形状の壁を有し、
前記位置調整部による調整の対象となる前記アンテナが、前記ゲートが有する２つの側壁部分の少なくとも一方に設置された、
ＲＦＩＤゲートシステム。
【請求項９】
請求項８に記載のＲＦＩＤゲートシステムであって、
前記ゲートの底壁部分に、前記ゲートと導通するように設けられた金属フレームと、
導電性を有する樹脂材料で形成され、前記金属フレーム上に該金属フレームと接触した状態で設置される搬送機構と、
を更に備えるＲＦＩＤゲートシステム。
【発明の詳細な説明】
【技術分野】
【０００１】
本発明は、ゲート内を通過する物品が備えるＲＦＩＤタグとの間で無線通信を行うＲＦＩＤゲートシステムに関する。
【背景技術】
【０００２】
特許文献１には、ゲート内を通過する物品が備えるＲＦＩＤタグとアンテナを介して無線通信を行い、ＲＦＩＤタグの情報を読み取るＲＦＩＤゲートシステムが記載されている。
【先行技術文献】
【特許文献】
【０００３】
【特許文献１】特開２００９−１５５１０８号公報
【発明の概要】
【発明が解決しようとする課題】
【０００４】
ところで、ゲート内を通過させる読み取り対象物は、形状及び大きさが様々であり、また、ＲＦＩＤタグの取り付け場所も様々である。このため、特許文献１に記載の従来技術では、対象物によって、ＲＦＩＤタグとアンテナの位置関係が変化し、読み取り精度が劣化する場合があった。また、ＲＦＩＤタグとアンテナの位置関係を調整するには、ゲートを分解して、アンテナの位置を付け替える必要があり、簡単に実施することができなかった。
【０００５】
本発明は、上記実情を鑑みてなされたものであり、対象物の状態に応じたＲＦＩＤタグの読み取り精度の調整が容易なＲＦＩＤゲートシステムを提供することを主たる目的とする。
【課題を解決するための手段】
【０００６】
請求項１に記載の発明は、ＲＦＩＤゲートシステムであって、両端が開口し内部が空洞の筒形状の壁を有する金属製のゲートと、前記筒形状の壁の内面に設置され、電波を放射して、物品が前記ゲートの内部を通過した際に、前記物品が備えるＲＦＩＤタグと交信する１つ以上のアンテナと、外部から操作される被操作部を有し、該被操作部の操作状態に応じて前記アンテナの位置を、前記ゲートの内部を前記物品が通過する方向に対して交差する方向である調整方向に沿って変位させるように構成された位置調整部と、を備えることを特徴とする。
【０００７】
請求項２に記載の発明は、請求項1に記載のＲＦＩＤゲートシステムであって、前記位置調整部により変位する前記アンテナと一体に移動し、他の部位とは視覚的に識別可能な形態で示されたマーカーを有する識別部と、前記ゲートに形成され、前記マーカーの位置を前記ゲートの外面側から視認可能に露出させるように構成された表示部と、を更に備えることを特徴とする。
【０００８】
請求項３に記載の発明は、請求項２に記載のＲＦＩＤゲートシステムであって、前記表示部は、一定間隔である孔間隔毎に前記調整方向に沿って形成された複数の表示孔を有し、  前記マーカーは、前記調整方向の幅が前記孔間隔より狭く設定されることを特徴とする。
【０００９】
ＲＦＩＤゲートシステム。
請求項４に記載の発明は、請求項３に記載のＲＦＩＤゲートシステムであって、前記識別部は、前記調整方向の幅が前記孔間隔の２倍以上に設定され、かつ、前記調整方向の中心位置に前記マーカーが位置し、前記マーカーとは異なる形態で示された補助マーカーを更に有することを特徴とする。
【００１０】
請求項５に記載の発明は、請求項１から請求項４までのいずれか１項に記載のＲＦＩＤゲートシステムであって、前記金属ゲートは、外面に、前記被操作部を、該被操作部に対する操作が可能な状態で露出させる操作孔を有することを特徴とする。
【００１１】
請求項６に記載の発明は、請求項５に記載のＲＦＩＤゲートシステムであって、前記操作孔を着脱自在に塞ぐ導電性の蓋体を更に備えることを特徴とする。
請求項７に記載の発明は、請求項１から請求項６までのいずれか１項に記載のＲＦＩＤゲートシステムであって、前記位置調整部は、前記調整方向に沿って配置され、回転操作が加えられる前記被操作部としてのボルトと、前記ボルトを挿通しかつ螺合するねじ孔を有したスライドブロック（４３）と、前記ボルトの回転運動に連動した前記スライドブロックの回転を阻止することによって、前記スライドブロックを前記調整方向に沿って直線運動させるガイド部（４４）とを備えることを特徴とする。
【００１２】
請求項８に記載の発明は、請求項１から請求項７までのいずれか１項に記載のＲＦＩＤゲートシステムであって、前記ゲートは、四角筒形状の壁を有し、前記位置調整部による調整の対象となる前記アンテナが、前記ゲートが有する２つの側壁部分の少なくとも一方に設置されることを特徴とする。
【００１３】
請求項９に記載の発明は、請求項８に記載のＲＦＩＤゲートシステムであって、前記ゲートの底壁部分に、ゲートと導通するように設けられた金属フレームと、導電性を有する樹脂材料で形成され、前記金属フレーム上に該金属フレームと接触した状態で設置される搬送機構と、を更に備えることを特徴とする。
【発明の効果】
【００１４】
請求項１に記載の発明によれば、被操作部を操作することによって、アンテナの位置、ひいてはアンテナと物品との位置関係を調整することにより、物品に添付されたＲＦＩＤタグの読み取り精度を、適宜、最適化することができる。しかも、被操作部は、外部から操作をすることができるため、当該ＲＦＩＤゲートシステムを分解する必要がなく、ＲＦＩＤゲートシステムの設置後であっても、容易に調整することができる。
【００１５】
請求項２に記載の発明によれば、ＲＦＩＤゲートシステムの使用者は、マーカーを視認することによって、位置調整部によって調整されたアンテナの位置を把握することができる。
【００１６】
請求項３に記載の発明によれば、複数の表示孔のうち、いずれかの表示孔でマーカーが視認されるため、ＲＦＩＤシステムの使用者は、マーカーが視認される表示孔の位置から、アンテナの位置をより的確に把握することができる。
【００１７】
請求項４に記載の発明によれば、いずれの表示孔でもマーカーが視認されない場合でも、補助マーカーは確実に視認されるため、ＲＦＩＤゲートシステムの使用者は、補助マーカーが視認される表示孔の位置から、マーカーの概略位置、ひいてはアンテナの概略位置を把握することができる。
【００１８】
請求項５に記載の発明によれば、操作孔が金属ゲートの外面に設けられているため、操作部に対する操作、つまり、アンテナの位置を調整するための操作を、容易に行うことができる。
【００１９】
請求項６に記載の発明によれば、操作部を使用しない場合に、操作孔を蓋体で塞ぐことができるため、アンテナから放射された電磁波が、操作孔を介して外部に漏洩することを抑制することができる。
【００２０】
請求項７に記載の発明によれば、位置調整部として、ボルトとスライドブロックとガイド部とを有する、ネジ送り機構あるいは送りネジ等と呼ばれる技術を用いることにより、簡易かつ安価に構成することができる。
【００２１】
請求項８に記載の発明によれば、四角筒形状の壁を有したゲートの、側壁部分にアンテナが設定されるため、金属ゲートを通過させる物品の高さに合わせて、アンテナの位置を調整することができる。
【００２２】
請求項９に記載の発明によれば、搬送機構と物品との間の摩擦等によって発生する静電気が、金属フレームを介して放電されるため、物品に取り付けられたＲＦＩＤタグが静電気によって破壊されることを抑制できる。
【図面の簡単な説明】
【００２３】
【図１】ゲートの外観を示す斜視図である。
【図２】ゲート側壁の外壁板を除去した状態を示す斜視図である。
【図３】表示部の拡大図である。
【図４】床上スライダユニットの分解図である。
【図５】アンテナの取り付け部位をゲートの内側から見た斜視図である。
【図６】位置調整ユニットの構成及び取り付け状態を示す斜視図である。
【図７】識別部と表示部との関係を示す説明図である。
【発明を実施するための形態】
【００２４】
以下、図面を参照しながら、発明を実施するための形態を説明する。
［１．全体構成］
本実施形態に係るＲＦＩＤゲートシステム１は、図１に示すように、物品を通過させるゲート１０を備える。ＲＦＩＤゲートシステム１は、物品がゲート１０を通過する際に、物品に取り付けられたＲＦＩＤタグと交信することで、ＲＦＩＤタグから情報を読み取る。なお、ＲＦＩＤは、Radio Frequency Identificationの略である。ＲＦＩＤタグは、半導体チップとアンテナとを備えたパッシブタグである。ＲＦＩＤタグの半導体チップには、ＲＦＩＤタグが付けられた物品（以下、対象物品）のＩＤ情報等が記憶される。
【００２５】
ＲＦＩＤゲートシステム１は、ゲート１０に加え、スライダユニット２０及びリーダライタ７０を備える。また、図２に示すように、ゲート１０の内部には、アンテナ３０と、調整ユニット４０とを備える。
【００２６】
［２．ゲート］
図１に示すように、ゲート１０は、両端が開口し内部が空洞の四角筒形状の壁を有する、持運び可能な金属製のトンネル型ゲートである。ゲート１０の四角筒形状の壁は、対向する２つの側壁１０ａ，１０ｃと、天井１０ｂと、天井１０ｂに対向する床１０ｄとから構成されている。ここでは、開口を有するゲート１０両端の面に垂直な方向、すなわち物品の通過方向を前後方向とする。更に、前後方向のうち、図１における左側を前、右側を後として、図示されていない前側の開口を入口、図示されている後側の開口を出口とする。また、天井１０ｂ及び床１０ｄに垂直な方向を上下方向とし、側壁１０ａ，１０ｃに垂直な方向を左右方向とする。左右方向における左と右は、前方向から見て定義する。
【００２７】
図２に示すように、側壁１０ａは、金属フレームで形成された直方体状の骨組み６０に、ゲート１０の外面を形成する外壁材、及びゲート１０が形成する通路に面する内壁材を組み付けることで構成されている。なお、図２は、外壁材を取り外した状態を示す。つまり、側壁１０ａには、外壁材と内壁材との間に空間が設けられており、この空間内に、アンテナ３０及び調整ユニット４０が組み付けられる。外壁材には金属等の電波を遮断する材料が用いられ、内壁材には、樹脂等の電波を透過する材料が用いられる。つまり、ゲート１０の外壁材で形成された部位が、金属製のゲートに相当する。
【００２８】
図示は省略するが、側壁１０ｃ及び天井１０ｂは、側壁１０ａと同様の構造を有する。但し、天井１０ｂでは、調整ユニット４０が省略されアンテナ３０のみが組み付けられる。また、床１０ｄは、側壁１０ａで使用されるものと同様の外壁材によって構成される。側壁１０ａ，１０ｃ及び天井１０ｂの骨組みを形成する金属フレーム、及びゲート１０を構成する全ての外壁材は、互いに導通した状態となるように組み付けられる。
【００２９】
つまり、アンテナ３０は、２つの側壁１０ａ，１０ｃ及び天井１０ｂの合計３箇所に配置され、調整ユニット４０は、２つの側壁１０ａ，１０ｃの合計２箇所に配置される。
図１及び図２に示すように、床１０ｄの入口側端部には、スロープ１１が取り付けられており、床１０ｄの出口側端部には、スロープ１２が取り付けられている。スロープ１１は、ゲート１０の入口に向かうほど高くなるような傾斜を有し、スロープ１２、ゲート１０の出口から離れるほど低くなるような傾斜を有する。スロープ１１，１２は、ゲート１０を台等に設置した際の設置面と、ゲート１０の内側において、物品を載置した状態で搬送する搬送面との段差を滑らかに繋ぐ部材である。
【００３０】
天井１０ｂの外面には、前側及び後側に、それぞれ把手１３が設けられている。この把手１３を把持して、ゲート１０を持ち運ぶことができる。
天井１０ｂの外面には、更に、左右両側端かつ前後方向の中心付近に、それぞれ操作孔１４が設けられている。操作孔１４は、例えば、ボックスレンチの先端を挿入した状態で回転操作が可能な大きさの孔径を有する。また、操作孔１４の内周壁には、ねじ山が形成されており、操作孔１４を塞ぐ金属製の蓋体１５が螺合されている。つまり、蓋体１５は、操作孔１４に対して着脱可能に構成されている。
【００３１】
図１に示すように、側壁１０ａには、出口側の上隅に、リーダライタ７０が取り付けられている。リーダライタ７０は、ＲＦＩＤタグと交信するアンテナ３０で受信された信号から、ＲＦＩＤタグに記憶されている情報を読み取る装置である。リーダライタ７０は、コンピュータ等の外部装置に接続され、外部装置からの指示に従って動作する。
【００３２】
側壁１０ａには、前後方向の中心付近に、上下方向に沿って一定間隔で形成された複数の表示孔Ｈを有する表示部１６が設けられている。図示は省略するが、側壁１０ｃにも同様の表示部１６が設けられている。
【００３３】
図３に示すように、表示部１６を構成する複数の表示孔Ｈは、側壁１０ａ，１０ｃの外壁材の内側を外から視認できるようにするために形成された外壁材を貫通する孔である。また、各表示孔Ｈの横には、中心に位置する表示孔Ｈを０として、中心からの離隔量を表す数値が印されている。ここでは、上方に位置する表示孔Ｈほど大きなプラスの値となり、下方に位置する表示孔Ｈほど大きなマイナスの値となるように設定されている。以下、表示孔Ｈの孔径をＤ、表示孔Ｈ間の孔間隔をＷとする。なお、孔径Ｄは、表示孔Ｈを介した電波の漏洩を抑制するために、表示孔Ｈを介した後述するマーカー５１及び補助マーカー５２の視認性を阻害しない範囲で可能な限り小さくする。
【００３４】
［３．スライダユニット］
スライダユニット２０は、床１０ｄの内面上に設置される。スライダユニット２０は、図４に示すように、金属フレーム２１と、スペーサ２２と、スライダ２３とを備える。
【００３５】
金属フレーム２１は、床１０ｄの内面と略同じ外形を有する矩形状のスライダ枠部材２１１と、スライダ枠部材２１１の短手方向の辺に平行、かつ、スライダ枠部材２１１が形成する矩形を３分割する位置に挿入される一対のスライダ支持部材２１２とを有し、梯子状に形成されている。金属フレーム２１は、床１０ｄに対して導通状態となるように固定される。
【００３６】
スペーサ２２は、電波を透過する樹脂又はゴム等の材料で形成された矩形状の板材である。スペーサ２２は、金属フレーム２１によって区切られる３つの矩形状のスペースのそれぞれに挿入される。金属フレーム２１のスペースにスペーサ２２が挿入された状態において、金属フレーム２１およびスペーサ２２の上面は、略同一面を形成する。
【００３７】
スライダ２３は、回転軸を中心にして回転する複数のローラを、全てのローラの回転軸の方向を揃えて平面状に配列して一体化した矩形状の外形を有する板状の部品である。スライダ２３は、カーボンを含んだ樹脂又はゴム等の導電性を有する材料で形成される。スライダ２３は、左右方向に沿って回転軸が位置し、金属フレーム２１及びスペーサ２２の上面全体を覆うように配置される。なお、スライダユニット２０は、金属フレーム２１にスペーサ２２を置き、その上にスライダ２３を載せ、スライダ２３と金属フレーム２１をネジ止めすることで一体化される。そして、この一体化した床上スライダユニット２０が、ネジ等によって床１０ｄに固定される。これにより、スライダ２３は、金属フレーム２１と接触した状態に保持され、金属フレーム２１を介して、ゲート１０と導通する。また、図示は省略するが、床１０ｄの外面には、スライダ２３を床１０ｄに組み付けるビスの逃がしと、ゲート１０が設置された設置面に対するゲート１０の滑り防止の機能とを兼ねるゴムマットを取り付けてもよい。
【００３８】
つまり、スライダ２３は、ゲート１０の入口から出口へ物品を搬送する搬送機構であり、スライダ２３の上面が搬送面を形成する。ゲート１０の入口から内部へ押し込まれた物品は、スライダ２３の搬送面を滑って出口へ搬送される。
【００３９】
なお、スペーサ２２は、ＲＦＩＤタグが物品の底に付けられている場合でも、ＲＦＩＤタグと床１０ｄとの間に距離を確保するためのものであり、ＲＦＩＤタグが床１０ｄと接近し過ぎることで、アンテナ３０との交信が不能となることを抑制する機能を有する。
【００４０】
また、金属フレーム２１は、スライダ２３と物品との間の摩擦等によってスライダ２３にて発生する静電気をゲート１０に逃がす、いわゆる帯電防止機能を有する。なお、ゲート１０の導電性を有する部位は、アースされていることが望ましい。
【００４１】
［４．アンテナ］
アンテナ３０は、ＲＦＩＤタグとの間で電波を送受信する狭指向性のアンテナである。アンテナ３０は、例えば、ＵＨＦ帯を使用し、予め設定された送信出力で電波を放射する。アンテナ３０は、矩形状の平面アンテナであり、一方の面から電波を放射するように構成されている。
【００４２】
アンテナ３０は、上述したように、側壁１０ａ，１０ｃ及び天井１０ｂの３箇所に設置される。ここで、側壁１０ａでのアンテナ３０の設置状態について説明する。
図２及び図５に示すように、側壁１０ａを構成する骨組み６０は、外側枠部材６１と、内側枠部材６２と、複数の枠支持部材６３と、アンテナ支持部材６４と、２つの補助支持部材６５とを有する。
【００４３】
外側枠部材６１及び内側枠部材６２は、いずれも側壁１０ａの外周と同じ大きさを有する枠状の部材である。外側枠部材６１には外壁板が組みつけられ、内側枠部材６２には内壁板が組み付けられる。枠支持部材６３は、外側枠部材６１と内側枠部材６２とを一体化すると共に、両部材６１，６２の間にアンテナ３０等を設置する空間を形成する。アンテナ支持部材６４は、外側枠部材６１の前後方向の中央付近に、上下方向に沿って配置される。２つの補助支持部材６５は、アンテナ支持部材６４を挟んだ前後方向の両側に、アンテナ支持部材６４と平行となるように外側枠部材６１に取り付けられる。
【００４４】
そして、アンテナ３０は、外側枠部材６１と内側枠部材６２との間に位置するように、アンテナ支持部材６４に、調整ユニット４０を介して取り付けられる。アンテナ３０は、短辺が上下方向に沿い、長辺が前後方向に沿い、更に、電波の放射面がゲート１０の内側を向くように取り付けられる。また、調整ユニット４０は、外側枠部材６１と内側枠部材６２との間の空間における上下方向の中心位置を基準位置として、基準位置を中心とする上下方向の所定幅を調整可能範囲に含むように取り付けられる。ここでは、所定幅は、表示部１６の最も上方に位置する表示孔Ｈから最も下方に位置する表示孔Ｈまでの幅と同じ長さである（図３参照）。
【００４５】
また、アンテナ３０には、２つの補助支持部材６５と接触する面に、アンテナ支持部材６４を軸とするアンテナ３０の揺動を、補助支持部材６５と接触することで抑制するスペーサ（不図示）が取り付けられている。ここでは、２つの補助支持部材６５は、アンテナ３０の長手方向の両端部と対向する位置に設けられる。
【００４６】
側壁１０ｃのアンテナ３０は、上述した側壁１０ａの場合と同様に設置される。
天井１０ｂのアンテナ３０は、調整ユニット４０を介することなくアンテナ支持部材６４に直接組み付けられる点以外は、側壁１０ａの場合と同様に設置される。つまり、天井１０ｂのアンテナ３０は、調整ユニット４０による位置調整が不能な状態で設置され、側壁１０ａ，１０ｃのアンテナ３０は、調整ユニット４０による上下方向への位置調整が可能な状態で設置される。但し、天井１０ｂのアンテナ３０は、製造工程において骨組み６０に固定する際に、適宜、位置を変更することは可能である。
【００４７】
［５．調整ユニット］
調整ユニット４０は、図６に示すように、位置調整部４１と、識別部５０とを備える。
［５−１．位置調整部］
位置調整部４１は、ボルト４２と、スライドブロック４３と、ガイド部に相当するガイドレール４４と、を備える。
【００４８】
ボルト４２は、表面に螺旋状の溝を有する雄ねじである。ボルト４２は、一対のボルト取付具４５を介してアンテナ支持部材６４に、ボルト４２の軸方向を上下方向と一致させた状態で取り付けられる。ボルト取付具４５は、ボルト４２を上下方向に移動させることなく、ボルト４２の回転動作が可能となるようにボルト４２を保持する。ボルト４２の上端である被操作部４２ａは、ボックスレンチによって操作可能な形状に形成され、且つ、天井１０ｂに形成された操作孔１４の内部に露出する。
【００４９】
ガイドレール４４は、アンテナ支持部材６４において、ボルト取付具４５が取り付けられた側の裏側に、上下方向に沿って取り付けられる。
スライドブロック４３は、作動部４３ａと、アンテナ固定部４３ｂと、レール係合部４３ｃとを備える。作動部４３ａは、ボルト４２が挿通され、且つ、ボルト４２のねじ山と螺合するねじ孔を有する。アンテナ固定部４３ｂは、作動部４３ａと一体に構成され、アンテナ３０が固定される固定面を有した平板状の部位であり、固定面がゲート１０の内側を向くように設けられる。レール係合部４３ｃは、アンテナ固定部４３ｂと一体に構成され、ガイドレール４４に係合し、ガイドレール４４に沿って移動する。レール係合部４３ｃ及びガイドレール４４は、ボルト４２が回転操作されたときに、作動部４３ａ（ひいては、スライドブロック４３）がボルト４２と一体になって回転することを阻止することで、スライドブロック４３の上下方向への移動を補助する機能を有する。
【００５０】
このように構成された位置調整部４１では、蓋体１５が除去された操作孔１４にボックスレンチを挿入し、ボックスレンチを被操作部４２ａに係合させて回転させると、回転に応じてスライドブロック４３が上下方向に移動する。つまり、被操作部４２ａの操作によって、スライドブロック４３のアンテナ固定部４３ｂに固定されたアンテナ３０の位置を、上下方向に調整することができる。位置調整部４１は、ネジ送り機構または送りネジ等と呼ばれる技術を適用したものである。
【００５１】
［５−２．識別部］
識別部５０は、スライドブロック４３と一体に構成された板状の部材である。つまり、識別部５０は、アンテナ３０と一体に上下方向へ移動する。
【００５２】
識別部５０には、ゲート１０の他の部位とは識別可能な色（例えば、赤色）で描かれた前後方向に延びる線（以下、マーカー）５１が記されている。マーカー５１の上下方向の線幅Ｍ１は、表示部１６に属する表示孔Ｈの孔径Ｄ、表示孔Ｈの孔間隔Ｗに基づき、Ｍ１＝Ｄに設定されることが望ましい。状況によっては、Ｍ1＞Ｄとしても良く、この場合は、Ｍ１≦（Ｗ−Ｄ）に設定すれば良い。また、Ｍ1＜Ｄとしても良く、この場合、Ｍ１の最小値は人間が目視できる線幅である。また、識別部５０は、マーカー５１の上下も、ゲートの他の部位とは識別可能、且つマーカー５１とは異なる色（例えば、黄色）で記された領域である補助マーカー５２が記されている。
【００５３】
補助マーカー５２は、マーカー５１を含む上下方向の幅Ｍ２が、Ｍ２＝２Ｗ+Ｄに設定されることが望ましい。状況によっては（２Ｗ+Ｄ）≦Ｍ２＜（３Ｗ−Ｄ）に設定されてもよい。なお、補助マーカー５２の領域内において、マーカー５１は、上下方向の中央に位置する。
【００５４】
識別部５０は、アンテナ３０が調整可能範囲の中央に位置するときに、マーカー５１が表示部１６の中心に位置する「０」が印された表示孔Ｈから視認されるように設定される。
ここで、図７は、識別部５０と表示部１６の位置関係を示した模式図である。
【００５５】
まず、アンテナ３０が初期状態の位置である中央にあるときは、図７（ａ）に示すように、「０」が印された中央の表示孔Ｈからマーカー５１が視認され、その上下に位置する「＋２」［−２］が印された表示孔Ｈから補助マーカー５２が視認される。つまり、アンテナ３０は、マーカー５１が視認される表示孔Ｈから特定される位置にあることがわかる。
【００５６】
アンテナ３０の位置が調整され、アンテナ３０と共に識別部５０が孔間隔Ｗの半分程度上方に移動すると、図７（ｂ）に示すように、マーカー５１はいずれの表示孔Ｈからも視認されない。但し、マーカー５１を挟んで上下に位置する「０」「＋２」が印された表示孔Ｈから補助マーカー５２が視認される。このため、アンテナ３０は、補助マーカー５２が視認される二つの表示孔Ｈから特定される位置の間にあることがわかる。
【００５７】
図７（ｃ）は、アンテナ３０の位置が更に調整され、「＋２」が印された表示孔Ｈからマーカー５１が視認されるようになった状態を示す。
［６．効果］
以上詳述した本実施形態によれば、以下の効果が得られる。
【００５８】
（１）ＲＦＩＤゲートシステム１では、ゲート１０の側壁１０ａ，１０ｃに設けられたアンテナ３０の上下方向の位置、ひいてはアンテナ３０と物品との位置関係を調整するための被操作部４２ａが、ゲート１０の天井１０ｂの外面に形成された操作孔１４に露出するように設けられている。従って、被操作部４２ａを操作することで、ゲート１０を通過させる物品の高さに合わせてアンテナの位置を調整できるため、物品に添付されたＲＦＩＤタグの読み取り精度を、適宜、最適化できる。しかも、被操作部４２ａは、ゲート１０を分解することなく、外部から操作できるため、ＲＦＩＤゲートシステム１を設置した後であっても、アンテナ３０の上下方向の位置調整を、容易に実施できる。
【００５９】
（２）ＲＦＩＤゲートシステム１では、被操作部４２ａを使用しないときには、操作孔１４が蓋体１５で塞がれるため、アンテナ３０から放射された電磁波が、操作孔１４を介してゲート１０の外部に漏洩することを抑制できる。
【００６０】
（３）ＲＦＩＤゲートシステム１では、アンテナ３０と一体に移動する識別部５０に印されたマーカー５１及び補助マーカー５２を、ゲート１０の外部から使用者に視認させるための表示部１６が設けられている。従って、ＲＦＩＤゲートシステム１の使用者は、表示部１６を介して視認されるマーカー５１及び補助マーカー５２の位置から、被操作部４２ａを操作することで調整されたアンテナ３０の位置を把握できる。
【００６１】
（４）ＲＦＩＤゲートシステム１では、位置調整部４１は、ネジ送り機構あるいは送りネジ等と呼ばれる技術を利用しているため、簡易かつ安価に構成することができる。
（５）ＲＦＩＤゲートシステム１では、搬送機構であるスライダ２３が、導電性を有する材料で構成され、金属フレーム２１を介してゲート１０と導通するように構成されている。従って、スライダ２３と搬送される物品との間の摩擦等によって発生する静電気がスライダ２３に蓄積されることなく、金属フレーム２１を介して放電される。その結果、物品に取り付けられたＲＦＩＤタグが静電気によって破壊されることを抑制できる。
【００６２】
[７．他の実施形態]
以上、本発明を実施するための形態について説明したが、本発明は上述の実施形態に限定されることなく、種々変形して実施することができる。
【００６３】
（ａ）上記実施形態では、天井１０ｂのアンテナ３０は固定されているが、側壁１０ａ，１０ｃのアンテナと同様に、調整ユニット４０を介して組み付けることで、天井１０ｂのアンテナ３０も、位置の調整が可能であるように構成されてもよい。
【００６４】
（ｂ）上記実施形態では、側壁１０ａ，１０ｃの二つのアンテナ３０が、両方とも位置調整が可能に構成されているが、いずれか一方だけを位置調整が可能となるように構成されてもよい。
【００６５】
（ｃ）上記実施形態では、側壁１０ａ，１０ｃの二つのアンテナ３０が、個別に位置調整するように構成されているが、一つの被操作部４２ａを操作することにより、二つのアンテナ３０の位置が連動して変化するように構成されてもよい。
【００６６】
（ｄ）上記実施形態では、側壁１０ａ，１０ｃ及び天井１０ｂに計３個のアンテナ３０が設置されているが、アンテナ３０の数は３個に限らず、少なくとも１つ以上のアンテナ３０が設置されていればよい。また、側壁１０ａ，１０ｃ及び天井１０ｂに設置されるアンテナ３０は、それぞれ１個ずつである必要はなく、それぞれの場所に２個以上のアンテナが設置されてもよい。
【００６７】
（ｅ）上記実施形態では、ゲート１０の形状は、四角筒形状に形成されているが、四角筒形状に限定されるものではない。例えば、ゲート１０の形状は、多角筒形状でもよいし、半円筒形状でもよい。
【００６８】
（ｆ）上記実施形態では、マーカー５１の幅Ｍ１がＭ１≦（Ｗ―Ｄ）に設定され、補助マーカー５２の幅Ｍ２が（２Ｗ＋Ｄ）≦Ｍ２≦（３Ｗ−Ｄ）に設定されることを示したが、これに限定されるものではなく、アンテナ３０の位置を、表示孔Ｈの間隔Ｗ以下の精度で特定できるように設定されていればよい。
【００６９】
（ｇ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本発明の実施形態である。
【００７０】
（ｈ）上述したＲＦＩＤゲートシステムの他、当該ＲＦＩＤゲートシステムを利用する各種システム等、種々の形態で本発明を実現することもできる。
【符号の説明】
【００７１】
１…ＲＦＩＤゲートシステム、１０…ゲート、１０ａ，１０ｃ…側壁、１０ｂ…天井、１０ｄ…床、１１，１２…スロープ、１３…把手、１４…操作孔、１５…蓋体、１６…表示部、２０…スライダユニット、２１…金属フレーム、２２…スペーサ、２３…スライダ、３０…アンテナ、４０…調整ユニット、４１…位置調整部、４２…ボルト、４２ａ…被操作部、４３…スライドブロック、４３ａ…作動部、４３ｂ…アンテナ固定部、４３ｃ…レール係合部、４４…ガイドレール、４５…ボルト取付具、５０…識別部、５１…マーカー、５２…補助マーカー、６０…骨組み、６１…外側枠部材、６２…内側枠部材、６３…枠支持部材、６４…アンテナ支持部材、６５…補助支持部材、７０…リーダライタ、２１１…スライダ枠部材、２１２…スライダ支持部材、Ｈ…表示孔。
【図１】
2019133269.tif 000003
【図２】
2019133269.tif 000004
【図３】
2019133269.tif 000005
【図４】
2019133269.tif 000006
【図５】
2019133269.tif 000007
【図６】
2019133269.tif 000008
【図７】
2019133269.tif 000009